(57)【要約】  【課題】  表示用光源の発光色又は点滅パターンで機器又は受付けた操作を容易に確認することができる遠隔操作器及び表示器付き装置を提供する。  【解決手段】  遠隔操作器１０の表示器１２は、複数色の光を出力することが可能な表示用光源を有しており、機器と色との対応に基づいて、表示器１２の表示用光源の色を、選択された機器に対応する色に変更する。また、機器と点滅パターンとの対応、又は、所定の操作と点滅パターンとの対応に基づいて、表示器１２の表示用光源を、選択された機器に対応する点滅パターンで点滅、又は、所定の操作を受付けた場合は前記操作に対応する点滅パターンで点滅させる。【選択図】        図１
2005223456.tif 000002
【特許請求の範囲】
【請求項１】
表示部を備え、複数の機器の操作を受付ける遠隔操作器において、
前記表示部は、複数色の光を出力することが可能な表示用光源を有しており、
選択されている機器に対応する色の光を表示用光源から出力させることを特徴とする遠隔操作器。
【請求項２】
表示部を備え、複数の機器の操作を受付ける遠隔操作器において、
前記表示部は、複数色の光を出力することが可能な表示用光源を有しており、
機器と色との対応を記憶する色対応記憶部と、
該色対応記憶部に記憶されている対応に基づき、選択されている機器に対応する色の光を表示用光源から出力させる色制御手段と
を備えることを特徴とする遠隔操作器。
【請求項３】
機器と光の点滅パターンとの対応を記憶する点滅パターン対応記憶部と、
該点滅パターン対応記憶部に記憶されている対応に基づき、表示用光源から出力される光を、選択されている機器に対応する点滅パターンで点滅させる点滅制御手段と
を備えることを特徴とする請求項２記載の遠隔操作器。
【請求項４】
所定の操作と光の点滅パターンとの対応を記憶する点滅パターン対応記憶部と、
所定の操作を受付けた場合、前記点滅パターン対応記憶部に記憶されている対応に基づき、表示用光源から出力される光を、前記受付けた操作に対応する点滅パターンで点滅させる点滅制御手段と
を備えることを特徴とする請求項２記載の遠隔操作器。
【請求項５】
表示用光源を有する表示部を備え、複数の機器の操作を受付ける遠隔操作器において、
機器と光の点滅パターンとの対応を記憶する点滅パターン対応記憶部と、
該点滅パターン対応記憶部に記憶されている対応に基づき、表示用光源から出力される光を、選択されている機器に対応する点滅パターンで点滅させる点滅制御手段と
を備えることを特徴とする遠隔操作器。
【請求項６】
前記表示用光源は、複数色の光を出力することが可能であり、
所定の操作と色との対応を記憶する色対応記憶部と、
所定の操作を受付けた場合、前記色対応記憶部に記憶されている対応に基づき、前記受付けた操作に対応する色の光を表示用光源から出力させる色制御手段と
を備えることを特徴とする請求項５記載の遠隔操作器。
【請求項７】
表示部の表示画面部分にタッチパネルが設けられており、機器に対する操作をタッチパネルで受付けるように構成されていることを特徴とする請求項１乃至６の何れかひとつに記載の遠隔操作器。
【請求項８】
表示器を備え、受付けた操作に応じた処理を実行する表示器付き装置において、
前記表示器は、複数色の光を出力することが可能な表示用光源を有しており、
所定の処理と色との対応を記憶する色対応記憶部と、
所定の処理を実行する場合、前記色対応記憶部に記憶されている対応に基づき、前記所定の処理に対応する色の光を表示用光源から出力させる色制御手段と
を備えることを特徴とする表示器付き装置。
【請求項９】
所定の処理と光の点滅パターンとの対応を記憶する点滅パターン対応記憶部と、
所定の処理を実行する場合、前記点滅パターン対応記憶部に記憶されている対応に基づき、表示用光源から出力される光を、前記所定の処理に対応する点滅パターンで点滅させる点滅制御手段と
を備えることを特徴とする請求項８記載の表示器付き装置。
【請求項１０】
表示用光源を有する表示器を備え、受付けた操作に応じた処理を実行する表示器付き装置において、
所定の処理と光の点滅パターンとの対応を記憶する点滅パターン対応記憶部と、
所定の処理を実行する場合、前記点滅パターン対応記憶部に記憶されている対応に基づき、表示用光源から出力される光を、前記所定の処理に対応する点滅パターンで点滅させる点滅制御手段と
を備えることを特徴とする表示器付き装置。
【請求項１１】
表示器の表示画面部分にタッチパネルが設けられており、タッチパネルで操作を受付けるように構成されていることを特徴とする請求項８乃至１０の何れかひとつに記載の表示器付き装置。
【発明の詳細な説明】
【技術分野】
【０００１】
本発明は、表示部を備え、複数の機器の操作に用いる遠隔操作器、及び、受付けた操作に応じた処理を実行する表示器付き装置に関する。
【背景技術】
【０００２】
ＶＣＲ（Video Cassette Recorder）などの電子機器は、本体に操作部を備えているが、遠隔操作器（リモートコントローラ）を使用して操作する場合が多い。近年では、１つの遠隔操作器を用いて、ＶＣＲ、テレビ、ＤＶＤ録再器、外付チューナなどの複数機器の操作を行える場合も多い。例えば、遠隔操作器に設けられた機械式のスイッチを切換えて「テレビ」，「ＶＣＲ」，「ＤＶＤ」の何れかを選択したり、遠隔操作器に設けられた１又は複数の所定のボタンスイッチを押して「テレビ」，「ＶＣＲ」，「ＤＶＤ」の何れかを選択し、選択した機器を操作することが可能である。
【０００３】
しかし、上述した１又は複数の所定のボタンスイッチを押して機器を選択する方法では、現在選択している機器を確認することは困難であり、確認するためには、例えば現在選択している機器を確認するための煩雑な操作を行ったり、各機器の反応に基づいて現在選択している機器を操作者が判断する必要がある。一方、上述した機械式のスイッチで機器を選択する方法では、スイッチの状態を見ることで、現在選択している機器を確認することが可能であるが、スイッチ及びスイッチ周辺の文字は小さく、スイッチの状態は見難い場合が多い。また、機械式のスイッチを設ける場合はコスト増加の要因となるため、コスト面では、ボタンスイッチを押して機器を選択する方が好ましい。
【０００４】
ボタンスイッチ（操作キー）を押して機器を選択する場合の現在選択されている機器を確認する方法として、遠隔操作器に設けられた操作キーのうち、選択された機器に関係する操作キーを点灯させる方法が提案されている（例えば、特許文献１参照）。この方法においては、各操作キーにＬＥＤ（Light Emitting Diode）を配置するなどして、選択された機器に関係する操作キーを点灯させている。選択された機器に関係する操作キーを点灯させることにより、例えばテレビ選択キー，ＶＣＲ選択キー，ＤＶＤ選択キーのうち、テレビ選択キーが点灯している場合は、現在テレビが選択されていることを確認できる。また、テレビが選択されている場合は、テレビの操作に関係する操作キーが点灯されるため、テレビの操作に使用する操作キーが容易に分かる。
【特許文献１】特開２００２−３１５０８０号公報
【発明の開示】
【発明が解決しようとする課題】
【０００５】
しかし、選択されている機器に関係する操作キーを点灯させる場合は、ＬＥＤなどを全操作キーに配置する必要があり、コストが増加するという問題がある。また、選択されている機器に関係する操作キーを点灯させるために、消費電力が増加し、電池寿命が低下するという問題がある。また、ライトキーを押すことによって、選択されている機器に関係する操作キーを点灯させる場合は、選択されている機器を確認するためにライトキーを押す手間が生じてしまう。
【０００６】
本発明は斯かる事情に鑑みてなされたものであり、表示部の表示用光源の発光色で現在の機器を容易に確認することができる遠隔操作器を提供することを目的とする。
【０００７】
また、本発明は、表示部の表示用光源の点滅パターンで現在の機器を容易に確認することができる遠隔操作器を提供することを他の目的とする。
【０００８】
また、本発明は、所定の操作を受付けた状態であること、又は、所定の操作に応じた処理が実行されていることを、表示部又は表示器の表示用光源の発光色で確認することができる遠隔操作器及び表示器付き装置を提供することを他の目的とする。
【０００９】
また、本発明は、所定の操作を受付けた状態であること、又は、所定の操作に応じた処理が実行されていることを、表示部又は表示器の表示用光源の点滅パターンで確認することができる遠隔操作器及び表示器付き装置を提供することを他の目的とする。
【００１０】
また、本発明は、表示部又は表示器の表示用光源の色変化及び／又は点滅が目に付き易い遠隔操作器及び表示器付き装置を提供することを他の目的とする。
【課題を解決するための手段】
【００１１】
本発明に係る遠隔操作器は、表示部を備え、複数の機器の操作を受付ける遠隔操作器において、前記表示部は、複数色の光を出力することが可能な表示用光源を有しており、選択されている機器に対応する色の光を表示用光源から出力させることを特徴とする。
【００１２】
本発明に係る遠隔操作器は、表示部を備え、複数の機器の操作を受付ける遠隔操作器において、前記表示部は、複数色の光を出力することが可能な表示用光源を有しており、機器と色との対応を記憶する色対応記憶部と、該色対応記憶部に記憶されている対応に基づき、選択されている機器に対応する色の光を表示用光源から出力させる色制御手段とを備えることを特徴とする。
【００１３】
本発明に係る遠隔操作器は、機器と光の点滅パターンとの対応を記憶する点滅パターン対応記憶部と、該点滅パターン対応記憶部に記憶されている対応に基づき、表示用光源から出力される光を、選択されている機器に対応する点滅パターンで点滅させる点滅制御手段とを備えることを特徴とする。
【００１４】
本発明に係る遠隔操作器は、所定の操作と光の点滅パターンとの対応を記憶する点滅パターン対応記憶部と、所定の操作を受付けた場合、前記点滅パターン対応記憶部に記憶されている対応に基づき、表示用光源から出力される光を、前記受付けた操作に対応する点滅パターンで点滅させる点滅制御手段とを備えることを特徴とする。
【００１５】
本発明に係る遠隔操作器は、表示用光源を有する表示部を備え、複数の機器の操作を受付ける遠隔操作器において、機器と光の点滅パターンとの対応を記憶する点滅パターン対応記憶部と、該点滅パターン対応記憶部に記憶されている対応に基づき、表示用光源から出力される光を、選択されている機器に対応する点滅パターンで点滅させる点滅制御手段とを備えることを特徴とする。
【００１６】
本発明に係る遠隔操作器は、前記表示用光源は、複数色の光を出力することが可能であり、所定の操作と色との対応を記憶する色対応記憶部と、所定の操作を受付けた場合、前記色対応記憶部に記憶されている対応に基づき、前記受付けた操作に対応する色の光を表示用光源から出力させる色制御手段とを備えることを特徴とする。
【００１７】
本発明に係る遠隔操作器は、表示部の表示画面部分にタッチパネルが設けられており、機器に対する操作をタッチパネルで受付けるように構成されていることを特徴とする。
【００１８】
本発明に係る表示器付き装置は、表示器を備え、受付けた操作に応じた処理を実行する表示器付き装置において、前記表示器は、複数色の光を出力することが可能な表示用光源を有しており、所定の処理と色との対応を記憶する色対応記憶部と、所定の処理を実行する場合、前記色対応記憶部に記憶されている対応に基づき、前記所定の処理に対応する色の光を表示用光源から出力させる色制御手段とを備えることを特徴とする。
【００１９】
本発明に係る表示器付き装置は、所定の処理と光の点滅パターンとの対応を記憶する点滅パターン対応記憶部と、所定の処理を実行する場合、前記点滅パターン対応記憶部に記憶されている対応に基づき、表示用光源から出力される光を、前記所定の処理に対応する点滅パターンで点滅させる点滅制御手段とを備えることを特徴とする。
【００２０】
本発明に係る表示器付き装置は、表示用光源を有する表示器を備え、受付けた操作に応じた処理を実行する表示器付き装置において、所定の処理と光の点滅パターンとの対応を記憶する点滅パターン対応記憶部と、所定の処理を実行する場合、前記点滅パターン対応記憶部に記憶されている対応に基づき、表示用光源から出力される光を、前記所定の処理に対応する点滅パターンで点滅させる点滅制御手段とを備えることを特徴とする。
【００２１】
本発明に係る表示器付き装置は、表示器の表示画面部分にタッチパネルが設けられており、タッチパネルで操作を受付けるように構成されていることを特徴とする。
【００２２】
本発明においては、遠隔操作器が備える表示部（例えばＬＣＤ：Liquid Crystal Display）は、複数色の光を出力することが可能な表示用光源（例えばＬＣＤのバックライト）を有している。遠隔操作器は、例えば機器の選択及び選択された機器に対する操作を受付ける。そして、選択された機器に対応する色の光を表示用光源から出力させる。選択された機器に応じて、表示部の表示用光源から出力される光の色（以下、表示用光源の色と略す）が変化する。表示用光源の色の変化は目に付き易く、ユーザは表示用光源の色で現在の機器を確認することができる。
【００２３】
本発明においては、遠隔操作器が備える表示部は、複数色の光を出力することが可能な表示用光源を有している。遠隔操作器は、例えば機器の選択及び選択された機器に対する操作を受付ける。また、機器と色との対応が色対応記憶部に記憶されており、色制御手段によって、選択された機器に対応する色の光を表示用光源から出力させる。選択された機器に応じて、表示部の表示用光源から出力される光の色が変化する。表示用光源の色の変化は目に付き易く、ユーザは表示用光源の色で現在の機器を確認することができる。
【００２４】
本発明においては、遠隔操作器が備える表示部は、複数色の光を出力することが可能な表示用光源を有している。遠隔操作器は、例えば機器の選択及び選択された機器に対する操作を受付ける。また、機器と点滅パターンとの対応が点滅パターン対応記憶部に記憶されており、点滅制御手段により、選択された機器に対応する点滅パターンで、表示用光源から出力される光を点滅させる（以下、表示用光源を点滅させると略す）。選択された機器に応じた点滅パターンで、表示部の表示用光源が点滅する。表示用光源の点滅は目に付き易く、ユーザは表示用光源の点滅パターンで現在の機器を確認することができる。
【００２５】
また、選択された機器に応じた表示用光源の点滅と、上述の選択された機器に応じた表示用光源の色変化とを組合わせることも可能である。この場合、ユーザは、表示用光源の色又は点滅パターンで現在選択されている機器を確認することができる。
【００２６】
本発明においては、受付けた操作に応じた処理を実行する表示器付き装置が備える表示器（例えばＬＣＤ）は、複数色の光を出力することが可能な表示用光源（例えばＬＣＤのバックライト）を有している。また、所定の処理と色との対応が色対応記憶部に記憶されており、所定の処理を実行する場合は、色制御手段により、前記処理に対応する色の光を表示用光源から出力させる。所定の処理を実行する場合は、表示器の表示用光源の色が変化する。表示用光源の色の変化は目に付き易く、ユーザは表示用光源の色で、所定の処理が実行されていることを確認することができる。
【００２７】
また、機器の選択を行う場合は、所定の処理を実行する場合の表示用光源の色変化と、上述の選択されている機器に応じた表示用光源の点滅とを組合わせることも可能である。この場合、ユーザは、表示用光源の点滅で現在選択されている機器を確認し、表示用光源の色で、所定の処理が実行されていることを確認することができる。
【００２８】
本発明においては、受付けた操作に応じた処理を実行する表示器付き装置が備える表示器は、複数色の光を出力することが可能な表示用光源を有している。また、所定の処理と点滅パターンとの対応が点滅パターン対応記憶部に記憶されており、所定の処理を実行する場合は、点滅制御手段により、表示用光源から出力される光を、前記処理に対応する点滅パターンで点滅させる。所定の処理を実行する場合は、表示器の表示用光源が前記処理に応じた点滅パターンで点滅する。表示用光源の点滅は目に付き易く、ユーザは表示用光源の点滅パターンで、所定の処理が実行されていることを確認することができる。
【００２９】
また、所定の処理を実行する場合の表示用光源の点滅と、上述の所定の処理を実行する場合の表示用光源の色変化とを組合わせることも可能である。この場合、ユーザは、表示用光源の色又は点滅パターンで、所定の処理が実行されていることを確認することができる。
【００３０】
さらに、機器を選択する場合は、所定の処理を実行する場合の表示用光源の点滅と、上述の選択されている機器に応じた表示用光源の色変化とを組合わせることも可能である。この場合、ユーザは、表示用光源の色で現在選択されている機器を確認し、表示用光源の点滅で、所定の処理が実行されていることを確認することができる。
【００３１】
本発明においては、遠隔操作器が備える表示部、及び、受付けた操作に応じた処理を実行する表示器付き装置が備える表示器の表示画面部分にタッチパネルが設けられており、操作をタッチパネルで受付ける。
【発明の効果】
【００３２】
本発明によれば、色制御手段によって、表示器の表示用光源から、選択された機器に対応する色の光を出力することにより、ユーザは表示用光源の発光色で現在選択されている機器を容易に確認することができる。
【００３３】
本発明によれば、点滅制御手段によって、表示器の表示用光源から出力される光を、選択された機器に対応する点滅パターンで点滅させることにより、ユーザは表示用光源の点滅パターンで現在選択されている機器を容易に確認することができる。
【００３４】
本発明によれば、所定の操作を受付けた場合、色制御手段によって、表示部又は表示器の表示用光源から、前記所定の操作に対応する色の光を出力することにより、ユーザは表示用光源の発光色で、所定の操作を受付けた状態であることを容易に確認することができる。
【００３５】
本発明によれば、所定の操作を受付けた場合、点滅制御手段によって、表示部又は表示器の表示用光源から出力される光を、前記所定の操作に対応する点滅パターンで点滅させることにより、ユーザは表示用光源の点滅パターンで、所定の操作に応じた処理を受付けた状態であることを容易に確認することができる。
【００３６】
本発明によれば、所定の処理を実行する場合、色制御手段によって、表示器の表示用光源から、前記所定の処理に対応する色の光を出力させることにより、ユーザは表示用光源の発光色で、所定の処理が実行されていることを容易に確認することができる。
【００３７】
本発明によれば、所定の処理を実行する場合、点滅制御手段によって、表示器の表示用光源から出力される光を、前記所定の処理に対応する点滅パターンで点滅させることにより、ユーザは表示用光源の点滅パターンで、所定の処理が実行されていることを容易に確認することができる。
【００３８】
本発明によれば、表示部又は表示器の表示画面部分に設けられたタッチパネルで操作を受付けることにより、表示画面サイズは大型化され、ユーザは操作時に表示用光源を見ることになるため、表示用光源の発光色及び／又は点滅が更に目に付き易くなる。
【発明を実施するための最良の形態】
【００３９】
以下、本発明をその実施の形態を示す図面に基づいて具体的に説明する。本説明では、ＶＣＲ及びＤＶＤ録再器の２つの機器を含む複合録再装置と、テレビ（１つの機器）との操作を行う遠隔操作器を例にして説明を行う。
【００４０】
図１は、本発明に係る遠隔操作器１０とテレビ２０及び複合録再装置２２の例を示す図である。複合録再装置２２は、ＤＶＤ−Ｒなどの記録媒体を出入するためのトレイ２２ａ及びビデオテープの出入部２２ｂを備えており、ＤＶＤ録再器及びＶＣＲとして動作することが可能である。
【００４１】
遠隔操作器１０は、バックライト（表示用光源）を有するＬＣＤ（表示部）１２と、複数の操作キー１４とを備え、テレビと、複合録再装置（ＶＣＲ、ＤＶＤ録再器）２２との操作を行うことが可能である。より詳しくは、１又は複数の所定キーを押すことにより、テレビ２０を選択したり、ＶＣＲ（複合録再装置２２）を選択したり、ＤＶＤ（複合録再装置２２）を選択し、選択した機器を遠隔操作器１０で操作する。テレビ、ＶＣＲ、ＤＶＤの選択は、従来と同様の操作で選択することが可能である。
【００４２】
図２は、遠隔操作器１０の主要構成部分の例を示すブロック図である。操作キー１４はボタンスイッチであり、マイクロコンピュータ１６と接続されており、操作キー１４への入力信号がマイクロコンピュータ１６に送られる。また、マイクロコンピュータ１６には、テレビ２０及び複合録再装置２２へ赤外線信号などを送信する信号送信部１３と、ＬＣＤ１２の各ドットを駆動する表示駆動部１２ａ及びバックライトを駆動するバックライト駆動部１２ｂとに接続されている。マイクロコンピュータ１６の制御により、操作キー１４への入力に応じた信号を信号送信部１３から送信したり、操作キー１４への入力に応じたＬＣＤ１２の表示制御が行われる。なお、マイクロコンピュータ１６は、ＲＡＭ及びＲＯＭを有し、信号送信部１３から送信する信号、及び、ＬＣＤ１２の表示制御に使用するデータなどはＲＯＭ又はＲＡＭに記憶されている。
【００４３】
ＬＣＤ１２のバックライト（表示用光源）には、複数色（本説明では３色）の光の出力が可能なバックライト用ＬＥＤを用いている。図３（ａ）はバックライト用ＬＥＤ１８の例を示す図であり、図３（ｂ）はバックライト用ＬＥＤ１８及びバックライト駆動部１２ｂの接続例を示す図である。図３（ａ）に示すように、バックライト用ＬＥＤ１８は、夫々発光色が異なる第１ＬＥＤ１８ａ（例えば赤色）と、第２ＬＥＤ１８ｂ（例えば緑色）と、第３ＬＥＤ１８ｃ（例えば青色）とを備えている。
【００４４】
図３（ｂ）に示すように、第１ＬＥＤ１８ａのカソード端子は抵抗Ｒａを介してトランジスタＴａのコレクタ端子と接続され、同様に、第２ＬＥＤ１８ｂ，第３ＬＥＤ１８ｃのカソード端子は夫々抵抗Ｒｂ，Ｒｃを介してトランジスタＴｂ，Ｔｃのコレクタ端子と接続されている。そして、トランジスタＴａ，Ｔｂ，Ｔｃのエミッタ端子はグランドレベルの端子に接続され、第１ＬＥＤ１８ａ，第２ＬＥＤ１８ｂ，第３ＬＥＤ１８ｃのアノード端子は前記グランドレベルよりも高レベルの端子に接続されている。また、トランジスタＴａ，Ｔｂ，Ｔｃのベース端子はバックライト駆動部１２ｂに接続されている。
【００４５】
マイクロコンピュータ１６の制御によって、バックライト駆動部１２ｂからトランジスタＴａ，Ｔｂ，Ｔｃのベース端子の何れかに駆動信号を与えることにより、第１ＬＥＤ１８ａ，第２ＬＥＤ１８ｂ，第３ＬＥＤ１８ｃの何れかを発光させ、バックライト用ＬＥＤ１８から何れかの色の光を出力させる。なお、バックライトとして、印加する電圧に応じて色が変化するＬＥＤを用いることも考えられる。この場合は、マイクロコンピュータ１６の制御によって、前記ＬＥＤに加える電圧を制御し、バックライトから出力される光の色（以下、バックライトの色と略す）を変化させることが可能である。また、カラーフィルタを用いて、バックライト用ＬＥＤ１８から出力される光の色を調整することも可能である。
【００４６】
マイクロコンピュータ１６は、所定の１又は複数の操作キー１４が押されたことにより、従来と同様に、機器の選択をキー入力に対応するテレビ、ＶＣＲ、又はＤＶＤに切換える。現在選択されている機器を示す情報は、マイクロコンピュータ１６の制御によってＲＡＭに記憶される。
【００４７】
本発明では、ＲＯＭ又はＲＡＭ（色対応記憶部）に、機器（本説明ではテレビ、ＶＣＲ、ＤＶＤ）と、ＬＣＤ１２のバックライトの色（本説明では赤、緑、青）との対応が記憶されている。そして、マイクロコンピュータ１６（色制御手段）は、ＬＣＤ１２のバックライト駆動部１２ｂを制御して、バックライトから、現在選択されている機器に対応する色の光を出力させる。
【００４８】
例えば、テレビは赤、ＶＣＲは緑、ＤＶＤは青に対応している場合、テレビが選択された際は、マイクロコンピュータ１６からバックライト駆動部１２ｂへ、赤色の点灯を指示する制御信号を送る。赤色の点灯を指示する制御信号を受取ったバックライト駆動部１２ｂは、トランジスタＴａに駆動信号を与えて、第１ＬＥＤ１８ａ（赤色）を発光させ、バックライトを赤色にする。同様に、ＶＣＲ又はＤＶＤが選択された場合、マイクロコンピュータ１６の制御により、バックライトは緑色（ＶＣＲ）又は青色（ＤＶＤ）になる。ＬＣＤ１２のバックライトの色が、選択された機器に応じて変化するため、操作者は、現在選択されている機器を容易に知ることができる。
【００４９】
上述した実施の形態では、テレビ、ＶＣＲ、ＤＶＤの夫々に色（例えば赤、緑、青）を対応させたが、例えばＶＣＲは赤、ＤＶＤは緑、テレビはバックライトをオフにしたり、例えばテレビは赤、ＶＣＲは緑、ＤＶＤは赤及び緑の両方を点灯するなど、３つの機器の区別に２色を出力可能なバックライトを用いることも可能である。このように、バックライトの発光色を変化させるだけでなく、バックライトをオフにすることも可能である。上述した例えばＶＣＲは赤、ＤＶＤは緑、テレビはバックライトをオフにする場合、テレビ選択時は消費電力を低減できる。また、蓄光板を用いるなどして、消費電力を低減することも可能である。
【００５０】
また、上述した実施の形態では、バックライトの色を変更したが、マイクロコンピュータ（点滅制御手段）１６の制御によって、選択されている機器に対応する点滅パターンで、バックライトから出力される光を点滅（以下、バックライトを点滅と略す）させることも可能である。例えば１色（例えば緑）のＬＥＤ（バックライト）を用いて、例えばＤＶＤは緑の点灯、ＶＣＲは緑の点滅、テレビはバックライトをオフにすること等が可能である。また、２色（例えば、赤、緑）のＬＥＤ（バックライト）を用いて、例えばテレビは赤の点灯、ＤＶＤは緑の点灯、ＶＣＲは緑の点滅にすること等が可能である。機器と点滅パターンとの対応は、マイクロコンピュータ１６のＲＯＭ又はＲＡＭ（点滅パターン対応記憶部）に記憶することが可能である。また、ＬＥＤ（バックライト）の点滅は、バックライト駆動部１２ｂから所定周期のパルス信号を出力することで実現できる。このように、選択されている機器に応じて、バックライトの色を変化させたり、バックライトの点滅パターンを変化させたり、色と点滅パターンとを組合わせて変化させることが可能である。
【００５１】
上述した各実施の形態においては、ＶＣＲ及びＤＶＤの２つの機器を含む複合録再装置２２と、テレビ２０との操作を遠隔操作器１０で行う場合を例にして説明したが、遠隔操作器１０で操作する機器は特に限定はされず、遠隔操作可能な任意の複数機器を操作することが可能である。図４は、選択される機器の他の例を示す図である。図４では、ＤＶＤ録再器２６とテレビ２０とが接続され、さらにＣＳチューナなどの外付チューナ２４がテレビ２０及びＤＶＤ録再器２６と接続されており、遠隔操作器１１でテレビ２０、外付チューナ２４、及びＤＶＤ録再器２６の操作を行う。また、外付チューナ２４をＤＶＤ録再器２６に内蔵することも可能である。このように、複数の機器を１つの装置に内蔵させることも可能である。また、選択する機器の数は複数であればよく、３つに限定はされない。
【００５２】
また、上述した各実施の形態では、選択した機器に応じてバックライトの色、及び／又は、点滅パターンを変化させたが、例えばビデオの再生又は早送りなどの操作に応じて、マイクロコンピュータ１６の制御によって、バックライトの色、及び／又は、点滅パターンを変化させることも可能である。例えばＶＣＲは赤、ＤＶＤは緑、テレビは青に対応させると共に、ビデオ再生操作を受付けた場合は赤を点滅させ、ＤＶＤ再生操作を受付けた場合は緑を点滅させることが可能である。このように、機器の選択に加えて、操作内容に応じて、バックライトの色を変化させたり、バックライトの点滅パターンを変化させたり、色と点滅パターンとを組合わせて変化させることが可能である。操作内容と色又は点滅パターンとの対応はＲＯＭ又はＲＡＭに記憶しておくことが可能である。ＬＣＤ１２のバックライトの色が操作内容に応じて変化するため、操作者は、所定の操作を受付けた状態であることを容易に知ることができる。なお、点滅パターンは、点灯状態及びバックライトをオフにした状態を含んでいてもよい。
【００５３】
上述した各実施の形態においては、複数の機器を例にして説明したが、例えばＶＣＲ又はＤＶＤの単体録再装置（１つの機器）の遠隔操作器（表示器付き装置）において、マイクロコンピュータの制御により、例えば再生操作を受付けた場合はＬＣＤ（表示器）のバックライト（表示用光源）を赤に点灯し、早送り操作を受付けた場合は赤を点滅させたり、例えば再生操作を受付けた場合はバックライトを緑に点灯し、早送り操作を受付けた場合は緑を点滅させ、録画操作を受付けた場合はバックライトを赤に点灯させること等が可能である。このように、選択される機器が複数の場合と同様に、機器が１つの場合においても、受付けた操作（操作に対応するコード信号の送信処理）に応じて、バックライトの色を変化させたり、バックライトの点滅パターンを変化させたり、色と点滅パターンとを組合わせて変化させることが可能である。
【００５４】
また、上述した実施の形態においては、ＬＣＤを備えた遠隔操作器（表示器付き装置）を例にして説明したが、ＬＣＤ（表示器）を備え、受付けた操作に応じた処理を実行する装置において、実行中の処理に応じて、バックライト（表示用光源）の色を変化させたり、バックライトの点滅パターンを変化させたり、色と点滅パターンとを組合わせて変化させることも可能である。図５は、ＬＣＤ１２を備えた電子レンジなどの電気調理器（表示器付き装置）３０の例を示す図である。電気調理器３０は複数の操作キー１４を備え、操作キー１４への操作に応じた加熱処理又は解凍処理を行う。ＬＣＤ１２及び操作キー１４の主な構成は、図２とほぼ同様であり、遠隔操作器と同様に、マイクロコンピュータ２６の制御によって、ＬＣＤ１２のバックライト用ＬＥＤを制御する。また、信号送信部１３は、電気調理器３０内部の主制御部などへ、受付けた操作に応じた実行指示などを送信する。
【００５５】
例えば、マイクロコンピュータの制御により、加熱中はＬＣＤ１２のバックライトを赤色にし、解凍中はバックライトを緑色にすることが可能である。また、例えば、加熱中はＬＣＤ１２のバックライトを点灯させ、解凍中はバックライトを点滅させることが可能である。このように、ＬＣＤ１２を備えた装置において、実行中の処理に応じて、バックライトの色を変化させたり、バックライトの点滅パターンを変化させたり、色と点滅パターンとを組合わせて変化させることが可能である。
【００５６】
また、上述した各実施の形態においては、操作キー１４で操作を受付けているが、ＬＣＤ１２の表示画面部分にタッチパネルを設け、タッチパネルで操作を受付けることも可能である。図６は、ＬＣＤ３２の表示画面部分にタッチパネルを設けた電気調理器３１の例を示す図であり、ＬＣＤ３２に表示されている操作キー３２ａにタッチすることにより、図５と同様に、操作を受付けることが可能である。また、遠隔操作器１０、１１にタッチパネルを用いることも勿論可能である。タッチパネルと操作キー１４とは、一方のみを備えたり、両方を備えることが可能である。タッチパネルの場合は、ＬＣＤが大型化されるので、色の変化又は点滅がより目に付き易くなる。また、タッチパネルの場合は、操作をＬＣＤの表示画面部分で受付けるため、操作時はＬＣＤを見ることになり、バックライトの色変化又は点滅がより目に付き易くなる。
【図面の簡単な説明】
【００５７】
【図１】本発明に係る遠隔操作器とテレビ及び複合録再装置の例を示す図である。
【図２】遠隔操作器の主要構成部分の例を示すブロック図である。
【図３】（ａ）はバックライト用ＬＥＤの例を示す図であり、（ｂ）はバックライト用ＬＥＤ及びバックライト駆動部の接続例を示す図である。
【図４】選択される機器の他の例を示す図である。
【図５】ＬＣＤを備えた電気調理器の例を示す図である。
【図６】ＬＣＤの表示画面部分にタッチパネルを設けた電気調理器の例を示す図である。
【符号の説明】
【００５８】
１０、１１  遠隔操作器
１２  ＬＣＤ
１２ａ  表示駆動部
１２ｂ  バックライト駆動部
１３  信号送信部
１４  操作キー
１６  マイクロコンピュータ
１８  バックライト用ＬＥＤ
２０  テレビ
２２  複合録再装置
２４  外付チューナ
２６  ＤＶＤ録再器
３０、３１  電気調理器
３２  ＬＣＤ（タッチパネル）
３２ａ  操作キー（タッチパネル）
【図１】
2005223456.tif 000003
【図２】
2005223456.tif 000004
【図３】
2005223456.tif 000005
【図４】
2005223456.tif 000006
【図５】
2005223456.tif 000007
【図６】
2005223456.tif 000008